(57)【要約】【課題】鉄骨柱に形成された耐火被覆の剥落を容易に防止できる耐火被覆の剥落防止カバーを提供することを目的としている。【解決手段】本発明の耐火被覆の剥落防止カバー１０は、表面に耐火被覆１４を有する鉄骨柱１２の外周を覆う下地フィルム２０と、前記下地フィルム２０で覆われた前記鉄骨柱１２の角部に嵌め合わせた複数のＬ型保護材３０と、前記Ｌ型保護材３０を前記角部に嵌め合わせた前記鉄骨柱１２の外周を覆う難燃シート４０と、からなることを特徴とする。【選択図】図１
2017061778.tif 000002
【特許請求の範囲】
【請求項１】
表面に耐火被覆を有する鉄骨柱の外周を覆う下地フィルムと、
前記下地フィルムで覆われた前記鉄骨柱の角部に嵌め合わせた複数のＬ型保護材と、
前記Ｌ型保護材を前記角部に嵌め合わせた前記鉄骨柱の外周を覆う難燃シートと、
からなることを特徴とする耐火被覆の剥落防止カバー
【請求項２】
前記Ｌ型保護材は、前記Ｌ型保護材同士の段差を平面状に補正した補正材を有することを特徴とする請求項１に記載の耐火被覆の剥落防止カバー。
【請求項３】
表面に耐火被覆を有する鉄骨柱の外周を下地フィルムで覆う工程と、
前記下地フィルムで覆われた前記鉄骨柱の角部にＬ型保護材を嵌め合わせる工程と、
前記Ｌ型保護材同士の段差を補正材で平面上に補正する工程と、
前記Ｌ型保護材を前記角部に嵌め合わせた前記鉄骨柱の外周を難燃シートで覆う工程と、
を有することを特徴とする耐火被覆の剥落防止カバーの施工方法。
【発明の詳細な説明】
【技術分野】
【０００１】
本発明は、内柱などの鉄骨柱の表面に施工された吹付け耐火被覆の剥落を防止する耐火被覆の剥落防止カバー及びその施工方法に関する。
【背景技術】
【０００２】
建築物の主要構造物のうち、鉄骨の柱や梁などの部分を火災の熱から守るために部材表面を耐火被覆で覆うことがある。耐火被覆のうち吹付け耐火被覆は、鉄骨建て方作業後に現場において吹付け施工するものであり、岩石や、スラグ（鉱さい）を原料とするロックウール（岩綿）をセメントなどと混合して吹き付けて形成している。
従来の耐火被覆の主な吹き付け方法は、湿式工法、乾式工法、半乾式（半湿式）工法の３種類がある。
【０００３】
湿式工法は、あらかじめ工場でロックウールとセメント及び他の材料を配合して製造した吹付け材料に、水を加えて混連し、専用の吹付け機でノズルの先端に圧送して吹付ける工法である。
【０００４】
乾式工法は、あらかじめ工場でロックウールとセメントを配合した材料を、吹付け施工機械で圧送し、ノズル先端の周囲から噴霧される清水で包み込み、材料を湿潤させながら均一に下地面に吹付ける工法である。乾式工法は、主に小規模仕上げ工事等に適用されている。
【０００５】
半乾式工法は、清水とセメントをあらかじめ撹拌装置のあるスラリー槽で混合してセメントスラリーを作り、ロックウールと別々に圧送して、ノズル先端部で噴霧化されたセメントスラリーとロックウールを混合しながら均一に下地面に吹付ける工法である。
【０００６】
このうち湿式工法は、粉塵や剥落を生じ難い特徴を有しており、エレベーターシャフト内のコアまわりなど風圧等で剥離のおそれのある場所、露出部など人の接触により欠損のおそれのある部位、発じんを嫌う施工場所で多く採用されている。また、湿式工法は、他の吹付け工法に比べて飛散や剥落の可能性が低く、露出部に適しているのであるが、他の吹付け工法よりコストや施工手間がかかる上に、重量も重くなるので、限定的にしか使われていない、
【０００７】
このような耐火被覆を施工して耐火被覆が露出している構造物には、例えば、立体駐車場がある。立体駐車場では、主に、鉄骨の柱や梁などに耐火被覆が施工されている。このうち内柱（鉄骨柱）は、車や人が接触する可能性が高く、耐火被覆が剥落するおそれがあるため、従来様々な耐火被覆の剥落を防止する処置が行われている。
【０００８】
図３は従来の耐火被覆の剥落防止方法の説明図である。特許文献１では、図示のように、車や、人が接触する可能性の最も高い耐火被覆１を施工した内柱２の角部に、断面Ｌ型形状のコーナーガード３を取り付けて、耐火被覆１の剥落を防止している。
【先行技術文献】
【特許文献】
【０００９】
【特許文献１】特許第３８６６１６６号公報
【発明の概要】
【発明が解決しようとする課題】
【００１０】
このようなコーナーガードを配置した角部の剥落は防止できるが、コーナーガードを配置していない箇所、すなわち内柱の外周側面は耐火被覆が露出した状態である。このため依然として人、車等が接触した場合には剥落して耐火性能が低下する可能性がある。また、断面Ｌ型形状のコーナーガードは、断面Ｈ形の内柱に取り付けることができない。
【００１１】
そこで本発明は、上記従来技術の問題点に鑑み、鉄骨柱に形成された耐火被覆の剥落を容易に防止できる耐火被覆の剥落防止カバーを提供することを目的としている。
また本発明は、耐火被覆を覆う剥落防止カバーを容易に施工することができる耐火被覆の剥落防止カバーの施工方法を提供することを目的としている。
【課題を解決するための手段】
【００１２】
上記の課題を解決するため第１の手段として、本発明は、表面に耐火被覆を有する鉄骨柱の外周を覆う下地フィルムと、前記下地フィルムで覆われた前記鉄骨柱の角部に嵌め合わせた複数のＬ型保護材と、前記Ｌ型保護材を前記角部に嵌め合わせた前記鉄骨柱の外周を覆う難燃シートと、からなることを特徴とする耐火被覆の剥落防止カバーを提供することにある。
【００１３】
上記の課題を解決するため第２の手段として、前記第１の手段において、前記Ｌ型保護材は、前記Ｌ型保護材同士の段差を平面状に補正した補正材を有することを特徴とする耐火被覆の剥落防止カバーを提供することにある。
【００１４】
上記の課題を解決するため第３の手段として、表面に耐火被覆を有する鉄骨柱の外周を下地フィルムで覆う工程と、前記下地フィルムで覆われた前記鉄骨柱の角部にＬ型保護材を嵌め合わせる工程と、前記Ｌ型保護材同士の段差を補正材で平面上に補正する工程と、前記Ｌ型保護材を前記角部に嵌め合わせた前記鉄骨柱の外周を難燃シートで覆う工程と、を有することを特徴とする耐火被覆の剥落防止カバーの施工方法を提供することにある。
【発明の効果】
【００１５】
前記第１の手段によれば、鉄骨柱の外周に沿って難燃性カバーで側面を覆うことにより、耐火被覆が露出することなく、車、人などが直に耐火被覆に触れることを保護して、耐火被覆の剥落を効果的に防止できる。また鉄骨柱が断面Ｈ形であっても所定強度のカバーを形成することができる。
前記第２の手段によれば、補正材でＬ型保護材同士の段差を平面上に補正して、難燃シートの貼り付けを容易に行うことができる。
【００１６】
前記第３の手段によれば、鉄骨柱の角部に取り付けたＬ型保護材同士の段差を構造体の側面に沿って平面上に補正することにより、鉄骨柱を難燃シートでしわが生じることなく容易に覆うことができる。また、カバー全体としての美観を保つことができる。
【図面の簡単な説明】
【００１７】
【図１】耐火被覆の剥落防止カバーを一部透視した斜視図である。
【図２】耐火被覆の剥落防止カバーの施工方法の説明図である。
【図３】従来の耐火被覆の剥落防止方法の説明図である。
【発明を実施するための形態】
【００１８】
本発明の耐火被覆の剥落防止カバー及びその施工方法の実施形態について、添付の図面を参照しながら以下詳細に説明する。
【００１９】
［耐火被覆の剥落防止カバー１０］
図１は、本発明の耐火被覆の剥落防止カバーを一部透視した斜視図である。
まず、本発明の耐火被覆の剥落防止カバー１０の適用対象となる鉄骨柱１２は、断面が多角形、Ｈ形、Ｉ形などの形状に形成されて、複数の角部を有する棒状の構造体であり、例えば、建築物、立体駐車場の内柱などである。
耐火被覆１４は、岩石や、スラグ（鉱さい）を原料とするロックウール（岩綿）とセメントなどの混合物であり、湿式、乾式、半乾式工法などにより鉄骨柱１２の表面に吹き付けて形成するものである。
【００２０】
図１に示すように本発明の耐火被覆の剥落防止カバー１０は、下地フィルム２０と、Ｌ型保護材３０と、難燃シート４０を主な基本構成としている。
【００２１】
下地フィルム２０は、耐火被覆１４の表面を覆うフィルムである。下地フィルム２０は、材質にポリエチレン、ポリ塩化ビニリデン、ポリ塩化ビニル等を適用することができる。本実施形態では下地フィルム２０に、一例として、梱包用のストレッチフィルムを用いている。下地フィルム２０は、ストレッチフィルムのロール体を鉄骨柱１２の側面外周に沿って周回させて、ストレッチフィルムを側面に巻き付けることによって形成することができる。そして、下地フィルム２０は、鉄骨柱１２の側面で床面側から梁下側までの全面に亘って露出している耐火被覆１４を覆うように形成している。
このような下地フィルム２０の構成により、剥落防止カバーを耐火被覆１４上に傷つけることなく施工することができる。また、車、人などが直に耐火被覆１４に触れることを防止できる。また、Ｈ形鋼を用いた鉄骨柱１２であっても後述するＬ型保護材を容易に取り付けることができる。
なお、下地フィルム２０は、ストレッチフィルムを巻き付ける厚みが、少なくとも、剥落防止カバーを取り付けることができる厚みであれば良い。また剥落防止カバーの強度を上げたいときには、ストレッチフィルムの巻き付ける厚みを厚くしたり、膜厚の厚いストレッチフィルムにしたりすると良い。
【００２２】
Ｌ型保護材３０は、鉄骨柱１２の角部を保護する部材であり、本実施形態では一例として、梱包用の紙製Ｌ型アングル材（角当て）を適用することができる。Ｌ型保護材３０は、長手方向長さを鉄骨柱１２の床面側から梁下側までの長さと同じ長さに設定し、幅長さは少なくとも鉄骨柱１２の角部を覆う長さに設定している。Ｌ型保護材３０は、下地フィルム２０上に接着剤、両面テープなどの接着手段により取り付けることができる。
このようなＬ型保護材３０の構成により、安価かつ容易に鉄骨柱１２の角部を補強することができる。
【００２３】
また、Ｌ型保護材３０を取り付けた鉄骨柱１２の側面の垂直方向又は水平方向に凹凸あるいは段差が生じて、隣接するＬ型保護材３０同士が側面に沿って平面上に形成されていない場合、補正材３５を用いて凹凸あるいは段差を平面状に補正している。本実施液体の補正材３５は具体的にパテ（石膏ボード用目地処理剤）を用いている。
このような補正材３５の構成により、隣接するＬ型保護材３０の間に形成される平面を鉄骨柱１２の側面に沿って平面状に形成することができる。また、後述する難燃シートを張り付ける際、しわが生じることがない。
【００２４】
難燃シート４０は、燃えにくく、燃え広がりを防止する機能を有するシートである。難燃シート４０は材質に例えば、ハロゲン系材料、ガラス繊維、アルミなどを適用することができる。本実施形態の難燃シート４０は、Ｌ型保護材３０を取り付けた鉄骨柱１２のすべての側面を覆う大きさであれば良い。難燃シート４０は、Ｌ型保護材３０の上に接着剤、両面テープなどの接着手段により取り付けることができる。
このような難燃シート４０の構成により、カバーの内側に形成される下地フィルム２０及びＬ型保護材３０を火災から保護することができる。
【００２５】
このような本発明の耐火被覆の剥落防止カバーによれば、鉄骨柱の外周に沿って難燃性カバーで側面を覆うことにより、耐火被覆が露出することなく、車、人などが直に耐火被覆に触れることを保護して、耐火被覆の剥落を効果的に防止できる。
【００２６】
［耐火被覆の剥落防止カバーの施工方法］
次に上記構成による耐火被覆の剥落防止カバーの施工方法について、以下説明する。
【００２７】
図２は、耐火被覆の剥落防止カバーの施工方法の説明図である。
同図（１）に示すように本実施形態の鉄骨柱１２はＨ形鋼であり、この表面に耐火被覆１４が施工されている。
同図（２）に示すように、鉄骨柱１２の外周を下地フィルム２０で覆う。具体的には、下地フィルム２０にストレッチフィルムを用いている。本実施形態では、一般に梱包用に用いられるロール状に形成されたストレッチフィルムのロール体を用いている。ストレッチフィルムのロール体からストレッチフィルムの一端を鉄骨柱１２の角部（床面側又は梁下側）に当ててロール体を鉄骨柱１２の外周に沿ってストレッチフィルムを巻き付けながら移動させる。このような作業を鉄骨柱１２の床面側から梁下側に亘って外周をすべて覆うように行う。
【００２８】
同図（３）に示すように、下地フィルム２０で外周を覆った鉄骨柱１２の４つの角部にＬ型保護材３０を取り付ける。本実施形態のＬ型保護材３０は、梱包用紙製アングル材（角当て）であり、これを鉄骨柱１２の角度に接着剤又は両面テープなどの接着手段（不図示）を用いて嵌め合わせて角をだしている。
同図（４）に示すように、Ｌ型保護材３０同士の垂直方向又は水平方向で段差が生じている場合には、補正材３５（適量のパテ）をＬ型保護材３０の表面に塗布して、隣接するＬ型保護材３０同士の側面が同一平面上となるように補正する。
なお、Ｌ型保護材３０同士で段差が生じていない場合には、この工程を省略することができる。
【００２９】
同図（５）に示すように、Ｌ型保護材３０の表面に接着手段を形成する。本実施形態の接着手段は、一例として両面テープを用いて、Ｌ型保護材３０の長手方向に沿って形成している。
同図（６）に示すように、鉄骨柱１２を難燃シート４０で覆う。難燃シート４０は、幅方向の長さが鉄骨柱１２の床面から梁下までの長さと同一であり、また、長さ方向の長さは、鉄骨柱１２の外周を覆う長さである。本実施形態では長さ方向の長さを２分割して、難燃シート４０の貼り付けを容易にしている。
【００３０】
このような本発明の耐火被覆の剥落防止カバーの施工方法によれば、Ｌ型保護材同士の段差を平面上に補正することにより鉄骨柱を難燃シートでしわを生じることなく覆うことができ、カバー全体としての美観を保つことができる。
【産業上の利用可能性】
【００３１】
本発明の耐火被覆の剥落防止カバー及びその施工方法は、特に、耐火被覆が施工された棒状構造物を備えた建築物に広く適用でき、産業上利用することができる。
【符号の説明】
【００３２】
１………耐火被覆、２………内柱、３………コーナーガード、１０………耐火被覆の剥落防止カバー、１２………鉄骨柱、１４………耐火被覆、２０………下地フィルム、３０………Ｌ型保護材、３５………補正材、４０………難燃シート。
【図１】
2017061778.tif 000003
【図２】
2017061778.tif 000004
【図３】
2017061778.tif 000005